(57)【要約】【課題】圧力損失の小さい脱臭フィルタを有した空気浄化装置を提供することを目的とする。【解決手段】脱臭短冊材１を並列して構成する脱臭フィルタ２と送風手段３と、給気口４および排気口５を備えた空気浄化装置６において、送風手段３によって給気口４から空気７を導入し、脱臭フィルタ２を通過させて、排気口５から外部へと排出させるものである。この手段により、圧力損失の低い脱臭フィルタ２を備えた空気浄化装置６が得られる。【選択図】図１
2008099940.tif 000002
【特許請求の範囲】
【請求項１】
脱臭フィルタと送風手段と給気口および排気口を備え、前記脱臭フィルタが、脱臭材料を短冊形状に成形してなる脱臭短冊材を、空気の流れる方向と短冊の幅方向が平行になるように一定間隔で並列に配置した構造であることを特徴とする空気浄化装置。
【請求項２】
脱臭フィルタの脱臭短冊材が、粒状活性炭とそれを網目状シート材で内包することで構成されることを特徴とする請求項１記載の空気浄化装置。
【請求項３】
前記脱臭短冊材は、長手方向に複数の網目状シート材の部屋を設け、その部屋に粒状活性炭を内包することを特徴とする請求項２記載の空気浄化装置。
【請求項４】
脱臭フィルタの脱臭短冊材が、粒状活性炭を格子状の骨材に接着した状態であることを特徴とする請求項１記載の空気浄化装置。
【請求項５】
脱臭フィルタが枠組みと脱臭短冊材で構成され、前記枠組みが、前記脱臭短冊材を支持し、なおかつ隣り合う脱臭短冊材どうしの間隔を一定に保つ構造を持つことを特徴とする請求項１乃至４いずれかに記載の空気浄化装置。
【請求項６】
脱臭短冊材を短冊の両面及び底辺を支持する支持部材を枠組みに設けたことを特徴とする請求項５記載の空気浄化装置。
【請求項７】
枠組みに設けた支持部材は、Ｕ字形状をなし、脱臭短冊材の長手方向の複数箇所で支持することを特徴とする請求項６記載の空気浄化装置。
【請求項８】
枠組みに設けた支持部材が、脱臭短冊材の長さ方向に沿って５ｃｍの間に少なくとも１つ以上あることを特徴とする請求項６または７記載の空気浄化装置。
【請求項９】
枠組みはスリット形状であり、その枠組みの桟上に等間隔で複数のリブを備え、脱臭短冊材を枠組みの桟と交差するようにリブとリブの間に備えることを特徴とする請求項５記載の空気浄化装置。
【請求項１０】
枠組みに備えたリブは幅５ｍｍ以下であることを特徴とする請求項９記載の空気浄化装置。
【請求項１１】
枠組みと脱臭短冊材で構成される脱臭フィルタの通風面に網目状シートを設けたことを特徴とする請求項５乃至１０いずれかに記載の空気浄化装置。
【発明の詳細な説明】
【技術分野】
【０００１】
本発明は、空気中の悪臭物質などを除去する空気浄化装置に関するものである。
【背景技術】
【０００２】
従来、この種の空気浄化装置の空気浄化フィルタとしては、長方形の平面状のものが知られている（特許文献１参照）。
【特許文献１】特開２００４−４１９５４号公報
【発明の開示】
【発明が解決しようとする課題】
【０００３】
このような従来の空気浄化装置に用いられる平面状の脱臭フィルタは、分布密度が高く、圧力損失が高い。
【０００４】
本発明は、このような従来の課題を解決するものであり、圧力損失の小さい脱臭フィルタを持つ空気浄化装置を提供することを目的とする。
【課題を解決するための手段】
【０００５】
本発明の空気浄化装置は、上記目的を達成するために、脱臭フィルタと送風手段と給気口および排気口を備え、前記脱臭フィルタが、脱臭材料を短冊形状に成形してなる脱臭短冊材を、空気の流れる方向と短冊の幅方向が平行になるように一定間隔で並列に配置した構造を有したものである。
【０００６】
また、他の手段は、脱臭フィルタの脱臭短冊材が、粒状活性炭とそれを網目状シート材で内包することで構成されるものである。
【０００７】
また、他の手段は、脱臭フィルタの脱臭短冊材が、長手方向に複数の網目状シート材の部屋を設け、その部屋に粒状活性炭を内包するものである。
【０００８】
また、他の手段は、脱臭フィルタの脱臭短冊材が、粒状活性炭を格子状の骨材に接着した状態のものである。
【０００９】
また、他の手段は、脱臭フィルタが枠組みと脱臭短冊材で構成され、前記枠組みが、前記脱臭短冊材を支持し、なおかつ隣り合う脱臭短冊材どうしの間隔を一定に保つ構造を有したものである。
【００１０】
また、他の手段は、脱臭短冊材を短冊の両面及び底辺を支持する支持部材を枠組みに設けたものである。
【００１１】
また、他の手段は、枠組みに設けた支持部材は、Ｕ字形状をなし、脱臭短冊材の長手方向の複数箇所で支持するものである。
【００１２】
また、他の手段は、枠組みに設けた支持部材が、脱臭短冊材の長さ方向に沿って５ｃｍの間に少なくとも１つ以上を有したものである。
【００１３】
また、他の手段は、枠組みはスリット形状であり、その枠組みの桟上に等間隔で複数のリブを備え、脱臭短冊材を枠組みの桟と交差するようにリブとリブの間に備えるものである。
【００１４】
また、他の手段は、脱臭短冊材どうしの間隔を確保するために、枠組みに、幅５ｍｍ以下のリブを有したものである。
【００１５】
また、他の手段は、枠組みと脱臭短冊材で構成される脱臭フィルタの通風面に網目状シートを張ったものである。
【００１６】
これらの手段により、一定の通風断面積において十分な脱臭材を備えながら圧力損失の小さい空気浄化装置が得られる。
【発明の効果】
【００１７】
本発明によれば、給気口から取り入れられる空気が、脱臭短冊材で構成される脱臭フィルタを低圧力損失で通過する空気浄化装置を提供できる。
【００１８】
また、粒状活性炭を網目状のシート材で内包することで活性炭の粒同士の空隙を確保し、粒が流出しないような網目のシートを用いて脱臭短冊材を形成することで、通気性の良好な低圧力損失の脱臭フィルタを有する空気浄化装置を提供できる。
【００１９】
また、粒状活性炭を格子状の骨材に接着して成る脱臭短冊材を並列することで通気性の良好な低圧力損失の脱臭フィルタを有する空気浄化装置を提供できる。
【００２０】
また、脱臭フィルタが枠組みと脱臭短冊材で構成され、前記枠組みが、前記脱臭短冊材を支持し、なおかつ隣り合う脱臭短冊材どうしの間隔を一定に保つ構造を持つことで圧力損失の小さい空気浄化装置を提供できる。
【００２１】
また、脱臭短冊材を短冊の両面及び底辺を支持する支持部材を枠組みに設けることで短冊を固定し、隣り合う短冊同士の間隔を一定に保つことにより、圧力損失の低い脱臭フィルタを有する空気浄化装置を提供できる。
【００２２】
また、枠組みに設けた支持部材が、脱臭短冊材の長さ方向に沿って５ｃｍの間に少なくとも１つ以上あることで、脱臭短冊材の固定力を高めることにより圧力損失の低い脱臭フィルタを有する空気浄化装置を提供できる。
【００２３】
また、脱臭フィルタの枠組みに幅５ｍｍ以下のリブを立てて、脱臭短冊材同士の間隔を狭く一定に保つことで圧力損失の低い脱臭フィルタを有する空気浄化装置を提供できる。
【００２４】
また、枠組みと脱臭短冊材で構成される脱臭フィルタの通風面に網目状シートを設け、脱臭短冊材から脱落する脱臭材をフィルタ外部へ飛び出さないような構造を有する空気浄化装置を提供できる。
【発明を実施するための最良の形態】
【００２５】
本発明の請求項１記載の発明は、脱臭材料を短冊形状に成形して、空気の流れる方向と短冊の幅方向が平行になるように一定間隔で並列に配置した構造を持つ脱臭フィルタと送風手段と給気口および排気口を備え、前記脱臭フィルタを空気が通過するような構造であり、脱臭フィルタの圧力損失を低く保つ作用を有する。
【００２６】
また、脱臭フィルタの脱臭短冊材が、粒状活性炭とそれを網目状シート材で内包することで構成されることにより、脱臭フィルタの圧力損失を低く保つ作用を有する。
【００２７】
また、他の手段は、脱臭フィルタの脱臭短冊材が、長手方向に複数の網目状シート材の部屋を設け、その部屋に粒状活性炭を内包するものであり、粒状活性炭の偏りを防止し、脱臭効果を均一にする効果がある。
【００２８】
また、粒状活性炭を格子状の骨材に接着して成る脱臭短冊材を並列することで脱臭フィルタの圧力損失を低く保つ作用を有する。
【００２９】
また、脱臭フィルタが枠組みと脱臭短冊材で構成され、前記枠組みが、前記脱臭短冊材を支持し、なおかつ隣り合う脱臭短冊材どうしの間隔を一定に保つ構造を持つことで脱臭フィルタの圧力損失を低く保つ作用を有する。
【００３０】
また、脱臭短冊材を短冊の両面及び底辺を支持する支持部材を枠組みに設けることで短冊を固定し、隣り合う短冊同士の間隔を一定に保つことにより、脱臭フィルタの圧力損失を低く保つ作用を有する。
【００３１】
また、枠組みに設けた支持部材が、脱臭短冊材の長さ方向に沿って５ｃｍの間に少なくとも１つ以上あることで、脱臭短冊材の固定力を高めることにより脱臭フィルタの圧力損失を低く保つ作用を有する。
【００３２】
また、枠組みに設けた支持部材は、Ｕ字形状をなし、脱臭短冊材の長手方向の複数箇所で支持し、脱臭短冊材の固定力を高めることにより脱臭フィルタの圧力損失を低く保つ作用を有する。
【００３３】
また、枠組みに設けた支持部材が、脱臭短冊材の長さ方向に沿って５ｃｍの間に少なくとも１つ以上あることで、脱臭短冊材の固定力を高めることにより脱臭フィルタの圧力損失を低く保つ作用を有する。
【００３４】
また、枠組みはスリット形状であり、その枠組みの桟上に等間隔で複数のリブを備え、脱臭短冊材を枠組みの桟と交差するようにリブとリブの間に備えることによって、脱臭短冊材同士の間隔を一定に保ち、脱臭性能を確保することができる。
【００３５】
また、脱臭フィルタの枠組みに幅５ｍｍ以下のリブを立てて、脱臭短冊材同士の間隔を狭く一定に保つことで圧力損失の低い脱臭フィルタを有する空気浄化装置を提供できる。
【００３６】
また、枠組みと脱臭短冊材で構成される脱臭フィルタの通風面に網目状シートを設け、脱臭短冊材から脱落する脱臭材を脱臭フィルタ外部へ飛び出すのを防ぐ作用を有する。
【００３７】
（実施の形態１）
第１の実施の形態は、図１に示すように、脱臭材料を短冊形状に成形した脱臭短冊材１を並列に配置した脱臭フィルタ２と送風手段３と、給気口４および排気口５を備えた空気浄化装置６において、送風手段３によって給気口４から空気７を導入し、脱臭フィルタ２を通過させて、排気口５から外部へと排出させるものである。このとき脱臭短冊材１の幅方向を空気７の流れる方向と平行に、一定の空隙を設けて配置することにより、空気抵抗を軽減し、低い圧力損失の脱臭フィルタ２を実現できる。
【００３８】
（実施の形態２）
図２に示すのは、粒状活性炭１１を網目状シート１２で内包して袋状に成形される脱臭短冊材１である。これにより、粒状活性炭１１の吸着力を有効に発揮させられる脱臭フィルタ２を実現できる。粒状活性炭１１が脱落しないように、網目状シート１２のメッシュサイズは粒状活性炭１１の粒径よりも小さいものである必要がある。
【００３９】
また、袋状に成型された脱臭短冊材１は、複数の部屋に分割することによって粒状活性炭１１を各部屋に分散して収めることができ、かつ、脱臭短冊材１として活性炭の偏りを防止することができる。
【００４０】
（実施の形態３）
図３に示すのは、粒状活性炭１１を格子状の骨材２１に接着した脱臭短冊材１である。これにより、粒状活性炭１１を薄い平板状に固定された状態の脱臭短冊材１となり、隣り合う脱臭短冊材１同士の間隔が一定で、低く安定した圧力損失の脱臭フィルタ２を実現できる。
【００４１】
（実施の形態４）
第４の実施の形態は、図４に示すように、脱臭フィルタ２が枠組み３１と脱臭短冊材１で構成される。枠組み３１は、スリット状の収納部３３と同じくスリット状の空隙３２とを交互に平行に設けたものである。収納部３３には脱臭短冊材１を装着する。これによって、枠組み３１が、脱臭短冊材１を支持することができる。また、隣り合う脱臭短冊材１どうしが一定の空隙３２を有する構造を持つこととなり、空隙が確保され、安定した低い圧力損失を保つ脱臭フィルタ２を実現できる。
【００４２】
（実施の形態５）
第５の実施の形態は、図５に示すように、脱臭短冊材１を短冊の両側面及び底辺を支持する支持部材４１を枠組み３１に設けたものである。枠組み３１はスリット状に桟を設けた形状をしている。支持部材４１は、Ｕ字形状をなし、枠組み３１の桟をまたぐようにしてスリットの長手方向に複数設けられ、Ｕ字の間に脱臭短冊材１を装着する。この構成によって、脱臭短冊材１同士の間隔を一定に保ちながら、圧力損失の低い脱臭フィルタ２を実現できる。
【００４３】
また、脱臭短冊材１の長さが長い場合、脱臭短冊材１の長さ方向に沿って支持部材４１を配置することにより、脱臭短冊材１がたわんで隣の脱臭短冊材１と接触し合うことを防ぎ、低い圧力損失を保つ脱臭フィルタを実現できる。支持部材４１の間隔は限定するものではなく、１ｃｍ間隔で配置すれば、脱臭短冊材１同士の接触は回避しやすいが、間隔が大きすぎると脱臭短冊材１が接触し合うため、５ｃｍ以下がよい。
【００４４】
（実施の形態６）
第６の実施の形態は、図６のように、脱臭短冊材１どうしの間隔を確保するために幅５ｍｍ以下のリブ５１を備えた枠組み３１である。枠組み３１は、実施の形態５と同様、スリット状に桟を設けた形状をしている。リブ５１は、桟上に等間隔に複数設けられる。脱臭短冊材１は、枠組み３１の桟と交差するように、かつ、隣り合ったリブ５１間に装着される。これにより、脱臭短冊材１同士の空隙を狭く保つことができ、一定した低い圧力損失の脱臭フィルタ２を実現できる。リブ５１の幅は５ｍｍ以上でも低い圧力損失の実現が可能であるが、脱臭効率が低くなるため、５ｍｍ以下がよい。
【００４５】
なお、脱臭短冊材１の長手方向は、実施の形態５で示したように、５ｃｍ以下の間隔でリブ５１を設けると良い。
【００４６】
（実施の形態７）
第７の実施の形態は、図７に示すように、枠組み３１と脱臭短冊材１で構成される脱臭フィルタ２の通風面に網目状シート６１を設けたものである。これにより、脱臭短冊材１から脱臭剤が脱落しても脱臭フィルタ２の外部へ飛び出すのを防ぎ、脱臭フィルタ２の圧力損失を低く保つことができる。
【産業上の利用可能性】
【００４７】
本発明の空気浄化装置を汚染された雰囲気中で運転することにより、空気中の汚染物質を浄化する用途に使うことができる。
【図面の簡単な説明】
【００４８】
【図１】本発明の実施の形態１の空気浄化装置の説明図
【図２】本発明の実施の形態２の脱臭短冊材の説明図
【図３】本発明の実施の形態３の脱臭短冊材の説明図
【図４】本発明の実施の形態４の脱臭フィルタの説明図
【図５】本発明の実施の形態５の脱臭フィルタの説明図
【図６】本発明の実施の形態６の脱臭フィルタの説明図
【図７】本発明の実施の形態７の脱臭フィルタの説明図
【符号の説明】
【００４９】
１    脱臭短冊材
２    脱臭フィルタ
３    送風手段
４    給気口
５    排気口
６    空気浄化装置
７    空気
１１  粒状活性炭
１２  網目状シート
２１  格子状の骨材
３１  枠組み
３２  空隙
４１  支持部材
５１  リブ
６１  網目状シート
【図１】
2008099940.tif 000003
【図２】
2008099940.tif 000004
【図３】
2008099940.tif 000005
【図４】
2008099940.tif 000006
【図５】
2008099940.tif 000007
【図６】
2008099940.tif 000008
【図７】
2008099940.tif 000009